(57)【要約】      （修正有）【課題】携帯電話やヘッドホン、パソコンは小型化、軽量化され、不用意にコードを引っ張ってしまい床に落下させて高価な本体そのものを壊してしまい記憶させたデータが飛んでしまうような取り返しのできないような事故も頻発している実情である。【解決手段】プラグ受け１とプラグ２から成る小型のマグネット式コネクターであって、プラグ受け本体１１に内装されたプラグ受け側マグネット１２と、プラグ受け側マグネット１２に絶縁樹脂層１２ａを介装して配設した一対のプラグ受け側磁性板１３と、プラグ本体２１に内装されたプラグ側マグネット２２と、プラグ側マグネット２２に絶縁樹脂層２２ａを介装して配設した一対のプラグ側磁性板２３とを備え、一対のプラグ受け側磁性板と一対のプラグ側磁性板とを接触させることにより電気的接続をするものである。【選択図】図１
2012234627.tif 000002
【特許請求の範囲】
【請求項１】
プラグ受けとプラグから成る小型のマグネット式コネクターであって、前記プラグ受けは、前記プラグのプラグ側合着部を挿通させるプラグ受け側合着部を一端に形成した絶縁性部材で形成されたプラグ受け本体と、該プラグ受け本体の略中心に内装されたプラグ受け側マグネットと、該プラグ受け側マグネットの両側に夫々絶縁樹脂層を介装して配設した一対のプラグ受け側磁性板と、該一対のプラグ受け側磁性板の基端辺を前記プラグ受け本体から突出させて基板に接続するための基板側電極部と、前記一対のプラグ受け側磁性板の先端を前記プラグ受け側合着部に突出させ接点とするためのプラグ受け側接点部とを備え、前記プラグは、前記プラグ受け本体の前記プラグ受け側合着部に挿通するプラグ側合着部を形成した絶縁性部材で形成されたプラグ本体と、該プラグ本体の略中心に内装されたプラグ側マグネットと、該プラグ側マグネットの両側に夫々絶縁樹脂層を介装して配設した一対のプラグ側磁性板と、該一対のプラグ側磁性板の基端に形成したコードに圧着接続するためのコード圧着部と、前記一対のプラグ側磁性板の先端は前記プラグ側合着部に突出させ接点とするためのプラグ側接点部とを備え、前記一対のプラグ受け側磁性板と前記一対のプラグ側磁性板とを接触させることにより電気的接続をすることを特徴とする小型マグネット式コネクター。
【請求項２】
前記プラグ受け本体の前記プラグ受け側合着部は平坦面と環状壁部とから成る凹陥状であり、前記環状壁部の頂部を前記平坦面を貫通して突出する前記一対のプラグ受け側磁性板より先端に位置させると共に、前記プラグ本体のプラグ側合着部の頂部を前記一対のプラグ側磁性板より先端に位置させたことを特徴とする請求項１に記載の小型マグネット式コネクター。
【請求項３】
前記プラグ受け側マグネットと前記プラグ側マグネットとの極性を一致させたことを特徴とする請求項１又は請求項２に記載の小型マグネット式コネクター。
【発明の詳細な説明】
【技術分野】
【０００１】
本発明は、小型マグネット式コネクターに関するものであって、更に、詳細には、携帯電話とその充電器との接続、コードレスヘッドホンの充電器との接続、ノート式パーソナルコンピュータの電源コードとを接続するような超小型のプラグ受けとプラグとを電気的に接続する小型マグネット式コネクターに関するものである。
【背景技術】
【０００２】
従来、商業電源から電力を得る電気機器は氾濫しており、これ等に使用するプラグとプラグ受けから成るコネクターも夫々開発され使用されており、また、ポットや、炊飯器、加湿器等には電気的接続を容易にすると共にコードに不用意な力が加わった場合に容易に外れるマグネットが用いられたコネクターも生活で役に立っており、また、近年、携帯電話やコードレスヘッドホン、ノート式パーソナルコンピュータは年々小型化、軽量化され、机等の上に置いて充電や使用をすることから、不用意にコードを引っ張ってしまい床に落下させて高価な本体そのものを壊してしまい記憶させたデータが飛んでしまうような取り返しのできないような事故も頻発している実情である。
【０００３】
例えば、本出願人が、先に開示した小型マグネットコネクターは、開口凹陥部１２を形成したプラグ受け本体１１と、プラグ受け本体１１に配設されたマグネット１３と、マグネット１３に接触させると共に開口凹陥部１２の底面１２ａを貫通させた磁性板１４とプラグ受け側接点部材１５と、プラグ受け側接点部材１５を固定させた板状バネ体１６と、嵌着部を突設したプラグ本体と、嵌着部に露出させて磁性板１４と当接するように埋設した吸着板と、吸着板に平行させて嵌着部に露出させたプラグ受け側接点部材１５と当接するプラグ側接点部材とを備えたもの（特許文献１参照）や、マグネット組体４と一対の電極体５を内装する耐熱性樹脂製の内側収容体１と、内側収容体にマグネット組体と電極体を内装し、一部突出させた電極体に電源コード６を接続した状態で、差込面を除く外部を被覆するとともに、電源コードの引き出し部に可撓部２８を一体成形してなる軟質樹脂製の外被体７とよりなるもの（特許文献２参照）等が開示されている。
【特許文献１】特開２００８−１７１６５２号公報
【特許文献２】特開平６−２０３９１４号公報
【発明の開示】
【発明が解決しようとする課題】
【０００４】
然し乍ら、前述の開示されている特許文献１に記載のものは、同様な小型マグネット式コネクターであるが、プラグ受け本体１１にマグネット１３と磁性板１４とプラグ受け側接点部材１５と、板状バネ体１６を備えたプラグ本体を形成したものであり、更に、特許文献２に記載のものも、マグネット組体４に一対の電極体５と永久磁石１９、金属板２０を内装しなければ成らず、パーツ数が多いため小型化が図れず、また、コスト高となり、加えて、製造も手間暇係るものである。
【課題を解決するための手段】
【０００５】
本発明は前記課題に鑑み、鋭意研鑽の結果、これらの課題を解決するもので、プラグ受けは、プラグのプラグ側合着部を挿通させるプラグ受け側合着部を一端に形成した絶縁性部材で形成されたプラグ受け本体と、プラグ受け本体の略中心に内装されたプラグ受け側マグネットと、プラグ受け側マグネットの両側に夫々絶縁樹脂層を介装して配設した一対のプラグ受け側磁性板と、一対のプラグ受け側磁性板の基端辺をプラグ受け本体から突出させて基板に接続するための基板側電極部と、一対のプラグ受け側磁性板の先端を前記プラグ受け側合着部に突出させ接点とするためのプラグ受け側接点部とを備え、プラグは、プラグ受け本体のプラグ受け側合着部に挿通するプラグ側合着部を形成した絶縁性部材で形成されたプラグ本体と、プラグ本体の略中心に内装されたプラグ側マグネットと、プラグ側マグネットの両側に夫々絶縁樹脂層を介装して配設した一対のプラグ側磁性板と、一対のプラグ側磁性板の基端に形成したコードに圧着接続するためのコード圧着部と、一対のプラグ側磁性板の先端はプラグ側合着部に突出させ接点とするためのプラグ側接点部とを備え、一対のプラグ受け側磁性板と一対のプラグ側磁性板とを接触させることにより電気的接続をするものであり、更に、プラグ受け本体のプラグ受け側合着部は平坦面と環状壁部とから成る凹陥状であり、環状壁部の頂部は平坦面を貫通して突出する一対のプラグ受け側磁性板より先端に位置させると共に、プラグ本体のプラグ側合着部の頂部は一対のプラグ側磁性板より先端に位置させるものであり、更には、プラグ受け側マグネットとプラグ側マグネットとの極性を一致させたものである。
【発明の効果】
【０００６】
本発明の小型マグネット式コネクターのプラグ受けは、プラグ受け本体にプラグ受け側マグネットと絶縁樹脂層を介装して一対のプラグ受け側磁性板とを内装させただけのものであり、プラグはプラグ本体にプラグ側マグネットと絶縁樹脂層を介装して一対のプラグ側磁性板とを内装させただけのものであり、つまり、夫々の磁性板は接点部材を兼ねるもので、一対のプラグ受け側磁性板と一対のプラグ側磁性板との夫々の先端を当接させることにより、電気的接続を行うもので、小型化が図れると共に、部品数が少なくコストダウンと成ると共に、携帯電話とその充電器との接続、コードレスヘッドホンの充電器との接続、ノート式パーソナルコンピュータの電源コードとを接続するような超小型のコネクターに好適で接続中に不用意にコードを引っ張ったような場合でも、磁着した接続部が外れ電気機器本体の落下等を防止するもので、更に、プラグ受け本体の環状壁部の頂部は一対のプラグ受け側磁性板より先端に位置させると共に、プラグ本体のプラグ側合着部の頂部は一対のプラグ側磁性板より先端に位置させることによって、つまり、夫々の磁性板が夫々の頂部より引っ込んでいるために不用意に鉄片等が吸着して短絡を起こすことが無く、更には、プラグ受け側マグネットとプラグ側マグネットとの極性を一致させたことにより、誤接続を防止することが出来るもので、有意義な効果を奏し実用性の高い画期的な発明である。
【発明を実施するための最良の形態】
【０００７】
以下、本発明の小型マグネット式コネクターの実施の形態を図面によって具体的に説明すると、図１は本発明の小型マグネット式コネクターの実施例の平面説明図であり、図２は本発明の小型マグネット式コネクターの実施例の断面とした説明図である。
【０００８】
本発明は、小型マグネット式コネクターに関するものであって、更に、詳細には、携帯電話とその充電器との接続、コードレスヘッドホンの充電器との接続、ノート式パーソナルコンピュータの電源コードとを接続するような超小型のプラグ受けとプラグとを電気的に接続する小型マグネット式コネクターに関するものであり、請求項１に記載の小型マグネット式コネクターは、プラグ受け１とプラグ２から成る小型のマグネット式コネクターであって、前記プラグ受け１は、前記プラグ２のプラグ側合着部２１ａを挿通させるプラグ受け側合着部１１ａを一端に形成した絶縁性部材で形成されたプラグ受け本体１１と、該プラグ受け本体１１の略中心に内装されたプラグ受け側マグネット１２と、該プラグ受け側マグネット１２の両側に夫々絶縁樹脂層１２ａを介装して配設した一対のプラグ受け側磁性板１３と、該一対のプラグ受け側磁性板１３の基端辺を前記プラグ受け本体１１から突出させて基板に接続するための基板側電極部１３ａと、前記一対のプラグ受け側磁性板１３の先端を前記プラグ受け側合着部１１ａに突出させ接点とするためのプラグ受け側接点部１３ｂとを備え、前記プラグ２は、前記プラグ受け本体１１の前記プラグ受け側合着部１１ａに挿通するプラグ側合着部２１ａを形成した絶縁性部材で形成されたプラグ本体２１と、該プラグ本体２１の略中心に内装されたプラグ側マグネット２２と、該プラグ側マグネット２２の両側に夫々絶縁樹脂層２２ａを介装して配設した一対のプラグ側磁性板２３と、該一対のプラグ側磁性板２３の基端に形成したコードに圧着接続するためのコード圧着部２３ａと、前記一対のプラグ側磁性板２３の先端は前記プラグ側合着部２１ａに突出させ接点とするためのプラグ側接点部２３ｂとを備え、前記一対のプラグ受け側磁性板と前記一対のプラグ側磁性板とを接触させることにより電気的接続をすることを特徴とするものである。
【０００９】
更に、請求項２に記載の小型マグネット式コネクターは、請求項１に記載の小型マグネット式コネクターにおいて、前記プラグ受け本体１１の前記プラグ受け側合着部１１ａは平坦面と環状壁部とから成る凹陥状であり、前記環状壁部の頂部を前記平坦面を貫通して突出する前記一対のプラグ受け側磁性板１３より先端に位置させると共に、前記プラグ本体２１の前記プラグ側合着部２１ａの頂部を前記一対のプラグ側磁性板２３より先端に位置させたことを特徴とするものである。
【００１０】
更には、請求項３に記載の小型マグネット式コネクターは、請求項１又は請求項２に記載の小型マグネット式コネクターにおいて、前記プラグ受け側マグネット１２と前記プラグ側マグネット２２との極性を一致させたことを特徴とするものである。
【実施例】
【００１１】
即ち、本発明の小型マグネット式コネクターは、携帯電話とその充電器、コードレスヘッドホンの充電器との接続、ノート式パーソナルコンピュータの電源コードとを接続するような超小型のプラグ受け１とプラグ２とから成るマグネット式コネクターに関するものである。
【００１２】
そして、プラグ受け１は、プラグ受け本体１１とプラグ受け側マグネット１２と一対のプラグ受け側磁性板１３とから成るものである。
【００１３】
次に、プラグ受け本体１１は、絶縁性部材のＡＢＳ樹脂により形成された巾が２１ｍｍ、高さが１４ｍｍ、奥行きが２０ｍｍ程度の小型のもので、先端側には後述するプラグ２のプラグ側合着部２１ａを挿通させ合着させるプラグ受け側合着部１１ａを形成したものであり、図中１１ｂはプラグ受け本体１１を使用機器の基板に固定する位置決め用のボスである。
【００１４】
次いで、プラグ受け側マグネット１２は、フェライトマグネット（希土類．永久磁石）で短柱矩形状に形成したものであり、該プラグ受け本体１１の略中心に内装されるもので、後述する一対のプラグ受け側磁性板１３を両側に夫々絶縁樹脂層１２ａを介装して配設するものである。
【００１５】
更に、一対のプラグ受け側磁性板１３は、ＳＰＣＣ等の金属で板状に形成され、プラグ受け側マグネット１２の両側に夫々の平坦面を夫々絶縁樹脂層１２ａを介装して配設したもので、プラグ受け側マグネット１２により磁着され磁気により磁気化されているものである。
【００１６】
更には、基板側電極部１３ａは、図１及び図２に図示のように、一対のプラグ受け側磁性板１３の基端辺をプラグ受け本体１１から突出させたもので、実施例では下方に使用機器の基板を備えているもので、基板の回路に直接溶着等の手段により接続するものである。
【００１７】
加えて、プラグ受け側接点部１３ｂは、一対のプラグ受け側磁性板１３の先端をプラグ受け側合着部１１ａの平坦部に突出させたもので、後述する一対のプラグ側磁性板２３と当接することによって接点とするものである。
【００１８】
また、プラグ２は、プラグ本体２１とプラグ側マグネット２２と一対のプラグ側磁性板２３とから成るものである。
【００１９】
次に、プラグ本体２１は、絶縁性部材のＡＢＳ樹脂により形成された、巾が１６ｍｍ、高さが９ｍｍ、長さが２８ｍｍ程度の一般のプラグ形状をしたもので、先端側には前記プラグ受け本体１１の前記プラグ受け側合着部１１ａに挿通して合着するためのプラグ側合着部２１ａを形成したものである。
【００２０】
次いで、プラグ側マグネット２２は、前述のプラグ受け側マグネット１２と同様なもので、フェライトマグネット（希土類．永久磁石）で短柱矩形状に形成したものであり、プラグ本体２１の略中心に内装されるもので、後述する一対のプラグ側磁性板２３を両側に夫々絶縁樹脂層２２ａを介装させて配設させるものである。
【００２１】
更に、一対のプラグ側磁性板２３も、前述の一対のプラグ受け側磁性板１３と同様なもので、ＳＰＣＣ等の金属で板状に形成され、プラグ側マグネット２２の両側に夫々平坦面を夫々絶縁樹脂層２２ａを介装させて配設したもので、プラグ側マグネット２２により磁着され磁気により磁気化されているものである。
【００２２】
更には、コード圧着部２３ａは、一対のプラグ側磁性板２３の基端をコードに接続するもので、基端をＴ字状に形成してコードの電線を捲着して圧着接続するもので、図１に図示するように、コード圧着部２３ａとコードの電線との圧着接続した外側をＰＶＣ樹脂により形成したカバーで覆うことも可能とするものである。
【００２３】
加えて、プラグ側接点部２３ｂは、一対のプラグ側磁性板２３の先端をプラグ側合着部２１ａに突出させて接点とするためのもので、一対のプラグ受け側接点部１３ｂと一対のプラグ側接点部２３ｂが当接することにより磁着すると共に、電気的接続を行うものである。
【００２４】
そして、プラグ受け本体１１のプラグ受け側合着部１１ａは平坦面と環状壁部とから成るカップ状の凹陥状であり、環状壁部の頂部を平坦面を貫通して突出する一対のプラグ受け側磁性板１３より先端に位置させると共に、プラグ本体２１のプラグ側合着部２１ａの頂部を一対のプラグ側磁性板２３より先端に位置させるものであり、プラグ受け側磁性板１３とプラグ側磁性板２３とが夫々頂部より陥没状態と成っており、不用意に鉄片等が吸着して短絡を起こすことを無くすものである。
【００２５】
更には、プラグ受け側マグネット１２とプラグ側マグネット２２との極性を一致させたものであり、マグネットの特性により、同極は反発し、異極が吸着することから、誤接続を防止できるものである。
【産業上の利用可能性】
【００２６】
本発明は、プラグ受け本体にプラグ受け側マグネットと一対のプラグ受け側磁性板とを内装させただけのものであり、プラグはプラグ本体にプラグ側マグネットと一対のプラグ側磁性板とを内装させただけのものであり、つまり、接点部材と磁性板とを兼ねるもので、一対のプラグ受け側磁性板と一対のプラグ側磁性板との夫々の先端を当接させることにより、電気的接続を行うもので、小型化が図れると共に、部品数が少なくコストダウンと成ると共に、携帯電話とその充電器との接続、コードレスヘッドホンの充電器との接続、ノート式パーソナルコンピュータの電源コードとを接続するような超小型のコネクターに好適で接続中に不用意にコードを引っ張ったような場合でも、磁着した接続部が外れ電気機器本体の落下等を防止するもので、更に、プラグ受け本体の環状壁部の頂部は一対のプラグ受け側磁性板より先端に位置させると共に、プラグ本体のプラグ側合着部の頂部は一対のプラグ側磁性板より先端に位置させることによって、つまり、夫々の磁性板が夫々の頂部より引っ込んでいるために不用意に鉄片等が吸着して短絡を起こすことが無く、更には、プラグ受け側マグネットとプラグ側マグネットとの極性を一致させたことにより、誤接続を防止することが出来る、小型マグネット式コネクターの提供である。
【図面の簡単な説明】
【００２７】
【図１】図１は本発明の小型マグネット式コネクターの実施例の平面説明図である。
【図２】図２は本発明の小型マグネット式コネクターの実施例の断面とした説明図である。
【符号の説明】
【００２８】
１      プラグ受け
１１    プラグ受け本体
１１ａ  プラグ受け側合着部
１１ｂ  位置決め用ボス
１２    プラグ受け側マグネット
１２ａ  絶縁樹脂層
１３    プラグ受け側磁性板
１３ａ  基板側電極部
１３ｂ  プラグ受け側接点部
２      プラグ
２１    プラグ本体
２１ａ  プラグ側合着部
２２    プラグ側マグネット
２２ａ  絶縁樹脂層
２３    プラグ側磁性板
２３ａ  コード圧着部
２３ｂ  プラグ側接点部
【図１】
2012234627.tif 000003
【図２】
2012234627.tif 000004